(57)【要約】【課題】本・ＣＤ・ビデオテープなど種々のものを立て掛けて収納し、収納物の転倒を抑制することができ、汎用性の高い収納ラックを提供すること。【解決手段】板状部材から成る基台１と、棒状部材をほぼ同一平面上で略逆Ｕ字状となるよう曲折して形成した仕切部材２とを備え、基台１の表面に、仕切部材２の開口部を形成する相互に対となる各足部２１ａ，２３ａの端部がそれぞれ同時に挿入可能な挿入穴１１ａを升目状に複数形成し、仕切部材２の両端部２１ａ，２３ａを基台１表面の挿入穴１１ａに嵌合することにより、複数の仕切部材２を基台１に対してほぼ垂直に立設した。【選択図】        図１
2004248915.tif 000002
【特許請求の範囲】
【請求項１】
板状部材から成る基台と、棒状部材をほぼ同一平面上で略逆Ｕ字状となるよう曲折して形成した仕切部材とを備え、
前記基台の表面に、前記仕切部材の開口部を形成する相互に対となる各足部の端部がそれぞれ同時に挿入可能な挿入穴を升目状に複数形成し、
前記仕切部材の両端部を前記基台表面の前記挿入穴に嵌合することにより、複数の前記仕切部材を前記基台に対してほぼ垂直に立設した、ことを特徴とする収納ラック。
【請求項２】
前記仕切部材の一方の足部に、前記仕切部材自体が形成されている平面上から突出する突出部を設けた、ことを特徴とする請求項１記載の収納ラック。
【請求項３】
前記仕切部材の一方の足部に、当該一方の足部を曲折することにより前記仕切部材自体が形成されている平面上から突出する突出部を形成した、ことを特徴とする請求項１記載の収納ラック。
【請求項４】
前記仕切部材の他方の足部に、当該他方の足部を曲折して前記仕切部材の端部方向に凹む凹部を形成し、
少なくとも２つの前記仕切部材を、前記他方の足部が収納ラック自体の手前側に位置するよう配置した、ことを特徴とする請求項１，２又は３記載の収納ラック。
【請求項５】
棒状部材をほぼ同一平面上で略逆Ｕ字状となるよう曲折して形成した背面部材を備え、
この背面部材の開口部を形成する相互に対となる各足部の端部が前記基台に形成した挿入穴にそれぞれ同時に挿入可能となるよう、当該両端部の間隔を設定し、
前記背面部材の両端部を前記基台表面の挿入穴に嵌合することにより、前記背面部材を前記基台に対してほぼ垂直に立設すると共に、当該基台に立設した前記仕切部材との位置関係が、ほぼ垂直となるよう配設した、ことを特徴とする請求項１，２，３又は４記載の収納ラック。
【請求項６】
前記基台の外周付近に、当該基台に立設した前記仕切部材の高さよりも高い柱部材を複数設け、これら柱部材の上端部に、当該柱部材にて支持される前記基台とは別の基台を載置して固定し、
これにより、複数段の収納部を形成した、ことを特徴とする請求項１，２，３，４又は５記載の収納ラック。
【請求項７】
前記基台に立設した２つの前記仕切部材の近辺に、これら仕切部材間に収納される収納物の有無を検知する収納物検出センサを設け、
前記２つの仕切部材間に収納される収納物に関する情報を記憶すると共に、前記収納物検出センサからの信号を検出し、当該仕切部材間に収納される収納物の有無を管理するコンピュータを備えた、ことを特徴とする請求項１，２，３，４，５又は６記載の収納ラック。
【発明の詳細な説明】
【０００１】
【発明の属する技術分野】
本発明は、収納ラックにかかり、特に、本・ＣＤ・ビデオテープ・ＤＶＤなどを収納するラックに関する。
【０００２】
【従来の技術】
本やＣＤ、ビデオテープなどは、積み重ねて収納すると下層に位置するものを取り出すことに手間がかかるため、所定の棚（ラック）に立て掛けて収納することが多い。しかし、立て掛けた場合には、本などの幅の厚いものやＣＤなどの厚みの薄いものであっても、その両脇に棚の側壁や別のＣＤが当接しているものは倒れる可能性が少ないが、棚の中央付近に立て掛けられていて一方の側面に当接する物体がない場合には、倒れてしまう可能性が高い。すると、ＣＤなどをうまく収納できないという問題が生じたり、倒れた衝撃で本が折れてしまったり、ＣＤケースを損傷してしまう、などの問題が生じる。
【０００３】
そこで、特許文献１に示すように、従来技術として、本棚内をスライド可能なブックエンドに関する発明が開示されている。このブックエンドの下部には、転倒防止用の棒状金具が主に備えられていて、これに対応して本棚に形成されている溝に装着する、というものである。これにより、収納する本などの冊数に応じてブックエンドをスライドし、当該本が倒れないようにするというものである。
【０００４】
また、特許文献２には、上記同様に、収納したＣＤが倒れないようにするＣＤラックが開示されている。このラックには、所定の間隔で上下壁にそれぞれ仕切辺が設けられており、特にその間隔が、ＣＤが倒れようとしても上壁に形成された隣の仕切辺に当接するような間隔にて設けられている。かかる技術も、上記のようにしてＣＤなどの立て掛けて収納するものが倒れることを抑制している。
【０００５】
【特許文献１】
特開平８−２４２９４６号公報
【特許文献２】
特開平８−７０９４３号公報
【０００６】
【発明が解決しようとする課題】
しかしながら、上記従来例には以下のような不都合があった。まず、スライド可能なブックエンドを設ける構成（特許文献１）では、一つの棚に複数のブックエンドを設けることが困難であり、特に、溝に棒状金具をはめ込むため、近接して設置することが困難である。例えば、本を種類別に、あるいは、ＣＤや本などを区分けしたい場合であっても狭いスペースでは困難となる。さらには、ブックエンドを使用せずに、本棚から取り外して当該ブックエンドを収納しておく場合には、ブックエンドが棒状金具の存在により平面的に重ね合わせて収納することができず、その収納場所の確保が困難となる問題も生じる。
【０００７】
また、上述したＣＤラックの場合には、複数の仕切辺によってＣＤの転倒防止を図ることができるものの、その仕切辺の間隔が定まっており、また、上壁に仕切辺を設けることから高さも制限されていて、ＣＤ以外の収納には適さない。従って、ラックの汎用性がなく、用途が制限されてしまうという問題が生じる。
【０００８】
さらには、いずれの従来例においても、奥行きが本棚の背面板までと制限されており、奥行きが異なる本やＣＤなどを混在して収納することに適さない。すなわち、奥行きがＣＤケースよりも長い本の間にＣＤを収納した場合には、それらは背面板に当接するまで奥に移動して収納されるため、当該ＣＤは本に対して奥側に位置して収納された状態となる。すると、そのＣＤを見つけだすことや取り出すことが困難となり、利用が不便となってしまうという問題が生じる。
【０００９】
【発明の目的】
本発明は、上記従来例の有する不都合を改善し、特に、本・ＣＤ・ビデオテープ、ＤＶＤなど種々のものを立て掛けて収納すると共に、収納物の転倒を抑制することができ、汎用性の高い収納ラックを提供すること、をその目的とする。
【００１０】
【課題を解決するための手段】
そこで、本発明では、板状部材から成る基台と、棒状部材をほぼ同一平面上で略逆Ｕ字状となるよう曲折して形成した仕切部材とを備え、基台の表面に、仕切部材の開口部を形成する相互に対となる各足部の端部がそれぞれ同時に挿入可能な挿入穴を升目状に複数形成し、仕切部材の両端部を基台表面の挿入穴に嵌合することにより、複数の仕切部材を基台に対してほぼ垂直に立設した、という構成を採っている。
【００１１】
このような構成にすることにより、棒状部材を曲折して形成した仕切部材のＵ字開口部に位置する両端部を、基台に形成された挿入穴に嵌合することにより、当該仕切部材を基台表面にほぼ垂直に立設することができる。従って、立設した仕切部材に本やＣＤなどを立て掛けることができ、さらに、所定の間隔に複数の仕切部材を立設することで、これら立て掛けた収納物が倒れることを抑制することができる。また、基台表面に升目状に複数の挿入穴が形成されていることから、立て掛けるものの厚さに応じて任意に仕切部材の配置間隔を調整することができ、あらゆる種類の収納物に対応することができる。
【００１２】
そして、特に、基台の外周付近に、当該基台に立設した仕切部材の高さよりも高い柱部材を複数設け、これら柱部材の上端部に、当該柱部材にて支持される基台とは別の基台を載置して固定し、これにより、複数段の収納部を形成すると望ましい。これにより、複数段の収納ラックとすることができ、収納効率の向上を図ることができる。
【００１３】
また、仕切部材の一方の足部に、当該一方の足部を曲折することにより仕切部材自体が形成されている平面上から突出する突出部を形成すると望ましい。これにより、仕切部材を基台に立設した際に、一方の足部に形成された突出部が、基台に対して仕切部材にて形成される垂直な平面から突出するようになる。従って、当該一方の足部を収納ラックの奥行き側に位置させることで、仕切部材に沿って立て掛けるよう収納した本やＣＤなどの奥行き方向の端面が突出部に当接することで、当該奥行き方向への過度の移動を係止することができる。その結果、仕切部材付近に立て掛ける収納物の奥行き方向の収納位置を任意に設定することができ、あらゆる収納物に対応でき、汎用性の向上を図ることができる。
【００１４】
また、上記構成に加え、仕切部材の他方の足部に、当該他方の足部を曲折して仕切部材の端部方向に凹む凹部を形成し、少なくとも２つの仕切部材を、他方の足部が収納ラック自体の手前側に位置するよう配置した、という構成とすると望ましい。これにより、収納物を出し入れする手前側に、凹部が位置するよう２つ以上の仕切部材をその奥行き方向の位置を揃えて配置することで、当該両凹部に収納物となるＣＤなどの表面を手前側に向けて立て掛けることができる。従って、仕切部材自体が、ＣＤのジャケットなどを飾る部材としても機能するため、単なる収納ラックではなく、インテリアとしての役割をも果たすことができる。
【００１５】
さらに、上記構成に加え、棒状部材をほぼ同一平面上で略逆Ｕ字状となるよう曲折して形成した背面部材を備え、この背面部材の開口部を形成する相互に対となる各足部の端部が基台に形成した挿入穴にそれぞれ同時に挿入可能となるよう、当該両端部の間隔を設定し、背面部材の両端部を基台表面の挿入穴に嵌合することにより、背面部材を基台に対してほぼ垂直に立設すると共に、当該基台に立設した仕切部材との位置関係が、ほぼ垂直となるよう配設した、という構成としてもよい。このように、仕切部材の奥行き側に、当該仕切部材との位置関係がほぼ垂直となるよう背面部材を基台に立設することで、立て掛ける本やＣＤなどに対して奥行き方向への移動を規制することができる。特に、背面部材の両端部の間隔を広く設定することで、広範囲の背板の役割を果たすことができる。
【００１６】
また、上記構成に加えて、基台に立設した２つの仕切部材の近辺に、これら仕切部材間に収納される収納物の有無を検知する収納物検出センサを設け、２つの仕切部材間に収納される収納物に関する情報を記憶すると共に、収納物検出センサからの信号を検出し、当該仕切部材間に収納される収納物の有無を管理するコンピュータを備えた、という構成としてもよい。これにより、コンピュータでは、各仕切部材間に収納される収納物の有無を収納物検出センサにて検出することにより、例えば、ＣＤなどの販売店で利用する際には、収納ラックに収納されている商品（ＣＤなど）の在庫管理に用いることができる。
【００１７】
【発明の実施の形態】
〈第１の実施形態〉
以下、本発明の第１の実施形態を、図１乃至図４を参照して説明する。図１は、本発明である収納ラックの基本構成を示す斜視図である。図２は、収納ラックの組み立て方法を示す説明図である。図３は、収納ラックの使用例を示す斜視図である。図４は、仕切部材の形状を示す図である。
【００１８】
（構成）
本発明である収納ラックは、図１に示すように、板状部材から成る基台１と、棒状部材をほぼ同一平面上で略逆Ｕ字状となるよう曲折して形成した仕切部材２とを備えている。そして、仕切部材２を基台１に任意の間隔で複数立設することで、当該仕切部材２は、基本的には従来より存在する本棚のブックエンドの役割を果たし、立て掛けて収納する本やＣＤなどが倒れることを有効に抑制することができる。以下、これを詳述する。
【００１９】
（基台）
本実施形態において、基台１は、図２に示すように、上下に重ねられる２枚の長方形状の板状部材（穴あきプレート１１，ベースプレート１２）にて形成されている。そして、本実施形態では、基台１の長辺部分をラックの幅方向、すなわち、ラックの手前側及び奥側に位置するよう用いる。従って、基台１の短辺部分が、ラックの側方側となり、奥行き方向を表すこととなる。
【００２０】
そして、上側に位置する板状部材１１は、例えばプラスチック部材にて形成されており、外周部分を除いて、多数の挿入穴１１ａが貫通して形成されている。この挿入穴１１ａは、後述する棒状部材が曲折されて形成された仕切部材２の両端部が挿通するよう、当該仕切部材２の直径とほぼ同一の径を有する穴である。そして、挿入穴１１ａは、升目状、すなわち、碁盤の目状に多数配列されている。さらに換言すると、縦、横方向に、それぞれ所定の間隔毎に配列され、例えば、縦、横それぞれ５ｍｍの間隔をあけて形成されている。
【００２１】
また、挿入穴１１ａは、長辺側の縁から所定の距離の間には形成されておらず、短辺方向の中央に所定の幅をもって、長辺方向に沿って延びるよう帯状に集合して形成されている。
【００２２】
なお、上側の穴あきプレート１１の外周の４隅には、後述するよう柱部材３を固定するネジ部材３ｂを挿通するネジ穴１１ｂがそれぞれ形成されている。
【００２３】
また、下側に位置するベースプレート１２は、上記穴あきプレート１１よりも厚さの厚い板状部材である。そして、穴あきプレート１１と同一形状をしており、長辺部分を手前側及び奥側に位置して配置される。ここで、両長辺部分は一様にその厚さが厚く形成されており、逆に言えば、それ以外の箇所は厚みが薄く、凹状１２ａになっている。換言すると、ベースプレート１２の短辺方向の中央部分は、長辺に沿って一応に凹状１２ａになっている。そして、かかる凹状の部分は、上述した穴あきプレート１１の挿入穴１１ａが形成されている箇所に対応している。
【００２４】
このようにすることで、上記穴あきプレート１１に形成されている挿入穴１１ａの下部には、ベースプレート１２の凹部１２ａによる所定の隙間が生じる。すると、かかる隙間分だけ仕切部材２の端部を穴あきプレート１１の下部に挿入することができ、基台１に対して確実に立設させることができる。
【００２５】
なお、このベースプレート１２の外周の４隅にも、穴あきプレート１１と同様に、当該穴あきプレート１１に形成されているネジ穴１１ｂに対応するネジ穴１２ｂが、それぞれ形成されている。
【００２６】
ここで、柱部材３は、本実施形態では円柱形状であり、基台１に立設する仕切部材２の高さよりも高いものである。そして、その端部にネジ穴３ａが形成されている。このネジ穴３ａにはネジ３ｂが螺合するようになっていて、上述したように、基台１の４隅に固定することができる。また、柱部材３には、その両端にネジ穴３ａが形成されているものもあれば、一方の端部にはネジ穴３ａが形成されていると共に、他方の端部には雄ネジ（図示せず）が埋め込まれていて当該雄ネジが突出して備えられているものもある。そして、この雄ネジを基台１のネジ穴１１ｂ，１２ｂに貫通して、さらに、別の柱部材３に係合することで、図３に示すように、複数段の収納ラックとすることができる。
【００２７】
（仕切部材）
また、仕切部材２は、具体的には、図４に示す形状である。この仕切部材２は、例えば直径３ｍｍ程度の棒状の鋼材を、図４に示すように、略逆Ｕ字状に曲折して形成したものである。さらに具体的にその形状について説明すると、まず、図４（ａ），（ｂ）に示すように、この棒状部材は一の平面上にて曲折されている。そして、略Ｕ字状の開口部、すなわち、棒状部材の両端部とは反対側に位置する当該棒状部材のほぼ中央付近には、水平直線部２２が形成されている。この水平直線部２２を挟んで、一方の端部側に奥側足部２１（一方の足部）を、他方の端部側に手前側足部２３（他方の足部）を形成している。このように、仕切部材２は棒状部材を略逆Ｕ字状に曲折して形成したとは言っても、厳密に逆Ｕ字で状である必要はなく、棒状部材の両端部２１ａ，２３ａが１８０度曲折されていれば、その他の部分の形状はいかなる形状であってもよい。
【００２８】
さらに、本実施形態における仕切部材２の形状について詳述すると、各足部２１，２３の端部２１ａ，２３ａは、それらを結んだ直線と、水平直線部２２とがほぼ平行となっている。従って、仕切部材２の水平直線部２２を挟んで対向して対となっている各足部２１，２３の長さは、両端部２１ａ，２３ａの位置が揃うよう設定されている。また、各端部２１ａ，２３ａ付近は、当該各端部２１ａ，２３ａを結ぶ直線に対してほぼ垂直になっている。従って、各端部２１ａ，２３ａ付近は、上述した基台１に形成された挿入穴１１ａに、ほぼ垂直に挿入されることとなり、これに伴い、仕切部材２自体が基台１に対してほぼ垂直に立設することとなる。
【００２９】
そして、奥側足部２１は、正面から見ると（図４（ａ）参照）、水平直線部２２まで、各端部２１ａ，２３ａを結ぶ直線に対して垂直に延びている。但し、その側面図（図４（ｂ））を参照するとわかるように、その中間部分にて、仕切部材２自体が形成されている平面上から突出する突出部２１ｂが形成されている。この突出部２１ｂは、三角形状に突出するよう奥側足部２１を曲折して形成しているが、その形状はこれに限定されるものではない。また、突出長さも任意であるが、本実施形態では、５ｍｍ程度である。さらには、この突出部２１ｂは、棒状部材である仕切部材２自体を曲折して形成することに限定されない。他の突起部材を溶接にて設けることにより形成してもよい。
【００３０】
また、手前側足部２３の中間部分には、端部２３ａ方向、すなわち、基台１に装着した際に下方向に凹む凹部２３ｂが形成されている。換言すると、手前側足部２３は、略Ｎ字状に曲折されて形成されている。さらに具体的に説明すると、端部２３ａ付近は、各端部２１ａ，２３ａを結ぶ直線に対して垂直に上方に延びており、途中で仕切部材２自体の内側斜め下方に向かって曲折し、さらに、その途中で斜め上方に向かって曲折している。これにより、手前側足部２３には凹部２３ｂが形成されていて、当該凹部２３ｂから水平直線部２２までは、傾斜している。
【００３１】
なお、この仕切部材２は、基台１に装着する際に、当該基台１の短辺に沿って、すなわち、奥行き方向に沿って配置される。そして、その名称からもわかるが、奥側足部２１が位置する箇所が収納ラックの奥側に位置し、手前側足部２３が位置する箇所が、収納ラックの手前側に位置して装着される。
【００３２】
（使用例）
そして、上述した基台１、仕切部材２、及び、柱部材３を用いて、本発明である収納ラックを組み立て、ＣＤやビデオテープなどを収納したときの使用例を、図３を参照して説明する。特に、図３の中段の収納例を説明する。なお、このように、複数段の収納部を形成する構成とすることにより、複数段の収納ラックとすることができ、収納効率の向上を図ることができる。なお、ラックの段数は任意である。
【００３３】
まず、中段の基台１には、図１に示すように、仕切部材２が配置されている。具体的には、図１の左側には、５本の仕切部材２が約ＣＤケースが１枚入る程度の間隔（例えば、１．５ｍｍ程度の間隔で挿入穴１１ａが３つ間隔）にて装着されており、それよりも右側に位置する仕切部材２は、さらに大きな間隔にて装着されている。
【００３４】
そして、図３の中段の左側付近には、狭い間隔の仕切部材２の間に、ＣＤケースが立て掛けられて収納されている。このＣＤケースは、その奥方向部分にて、上述した仕切部材２に形成された突出部２１ｂに当接しており、奥方向への移動が規制されている。また、中段の中央付近にはビデオテープが立て掛けられて収納されており、同様に、その奥方向部分にて突出部２１ｂに当接しており、奥方向への移動が規制されている。
【００３５】
このようにすることにより、仕切部材２を基台１表面にほぼ垂直に立設することができ、立設した仕切部材に本やＣＤなどを立て掛けることができる。すると、これら立て掛けた収納物が倒れることを抑制することができる。また、基台表面に升目状に複数の挿入穴が形成されており、所定の間隔に複数の仕切部材を立設することで、立て掛けるものの厚さに応じて任意に仕切部材の配置間隔を調整することができ、あらゆる種類の収納物に対応することができる。さらに、仕切部材２を必要としない時には、仕切部材２はほぼ平面形状であるので、場所をとらずに別の場所に収納しておくことができる。
【００３６】
また、あらかじめ奥行きの長さが、長いものと短いものとを隣り合わせて収納することが予想される場合には、短いものを収納する箇所の仕切部材２を、他のものに比べて手前側に位置するよう配置するとよい。これにより、仕切部材２の突出部２１ｂにて奥方向への移動が係止され、収納物をその奥行きの長さに関係なく一律に手前側に配列させて収納することができ、収納物自体を容易に視認することができるると共に、その取り出しなども容易となる。
【００３７】
また、図３に示すラック中段の右側付近では、２つの仕切部材２が奥行き方向の位置を揃えて基台２に配設されており、当該２つの仕切部材２に形成された凹部２３ｂに、ＣＤケースのジャケット面を手前側に向けて立て掛けている。すなわち、凹部２３ｂにＣＤケースの下部を載置して、当該凹部２３ｂから水平直線部２２にかかる傾斜部分にＣＤケースのジャケット裏面をもたれかけている。
【００３８】
このようにすることで、仕切部材２をＣＤのジャケットなどを飾る部材として利用することもでき、新たな部材を用意することなく、本収納ラックをインテリアとして利用することもできる。なお、本実施形態ではＣＤケースのジャケット面を飾る場合を例示したが、これに限定されるものではない。例えば、絵はがきや写真などを飾ってもよい。
【００３９】
なお、本発明における仕切部材２は、上記形状、例えば、図４に示す形状に限定されるものではない。
【００４０】
〈第２の実施形態〉
次に、本発明の第２の実施形態について、図５を参照して説明する。本実施形態においては、上述した第１の実施形態とほぼ同様の構成を採っているが、以下の点で異なる。
【００４１】
（構成）
まず、本実施形態における仕切部材１２０には、上記図４を参照して説明した突出部２１ｂが形成されていない。従って、仕切部材１２０自体は、ほぼ平面上に形成されている。そして、この仕切部材１２０は、第１の実施形態と同様に、基台１１０に形成されている挿入穴に嵌合して、当該基台１１０に立設される。
【００４２】
また、本実施形態では、基台１１０に立設される部材として背面部材１４０をも備えている。この背面部材１４０は、棒状部材をほぼ同一平面上で略逆Ｕ字状となるよう曲折して形成したものである。具体的には、各端部をそれぞれ含む相互に対向して位置する各足部の長さがほぼ同一に設定されており、略コ字状になっている。そして、その端部の間隔は、基台１１０に形成した所定の挿入穴に対応して嵌合可能に設定されている。
【００４３】
（使用例）
次に、上述した背面部材１４０の使用例について、図５を参照して説明する。この図に示すように、背面部材１４０は、基台１１０表面に装着した仕切部材１２０の奥側に位置するよう、基台１１０の挿入穴に挿入して立設する。具体的には、仕切部材１２０との位置関係が、ほぼ垂直となるよう配設する。
【００４４】
このようにすることにより、仕切部材１２０に立て掛ける本やＣＤなどの奥行き方向への移動を規制することができる。特に、背面部材１４０の両端部の間隔を広く設定することで、広範囲の背板の役割を果たすことができる。また、逆に両端部の間隔を狭く設定したものを複数用意することで、奥行き方向の長さが短いものを収納する箇所には、背面部材１４０の位置を手前側に配置することにより、奥まって収納されることが抑制され、その取り出しが容易となる。
【００４５】
具体的には、図５の左側に位置する仕切部材１２０及び背面部材１４０に対して、右側に位置する仕切部材１２０及び背面部材１４０は、手前側に配置されている。これにより、左側には奥行き方向への長さが長いもの（例えば、ＣＤケース）を、右側には奥行き方向への長さが短いもの（例えば、本）を収納したとしても、その手前側の位置がほぼ揃うため、ラック内の収納物が見やすくなり、また、その取り出しも容易となる。
【００４６】
〈第３の実施形態〉
以下、本発明の第３の実施形態について説明する。本実施形態においては、上述した第１又は第２の実施形態における構成と、ほぼ同様の構成を採っているが、さらに、収納ラックに収納されているＣＤなどの在庫管理を行うためのセンサユニットが、ラックの奥側に備えられている。すなわち、ラック内の収納物の有無を検出するセンサユニットである。
【００４７】
例えば、図１を参照して説明すると、基台１にはＣＤケースの間隔にて一様に仕切部材２が配設されており、これらの間にそれぞれＣＤが収納される。そして、各仕切部材間の奥行き側には、当該仕切部材間に収納物が存在することを検知する収納物検出センサ（図示せず）がそれぞれ備えられている。
【００４８】
ここで、収納物検出センサとしては、例えば赤外線センサを用いる。そして、センサユニットは、投光部と受光部とから成り、センサ投光部から常に収納物に対して赤外線が投射され、反射した赤外線を受光部で受け、仕切部材間に物体が存在するかを判別する。ここで、上記では、センサは仕切部材間の奥側に備えられていることを例示したが、必ずしもこれに限定されない。基台１内部に備えられていて、挿入穴から赤外線を投射して、収納物の有無を検出してもよい。
【００４９】
また、センサユニットは、在庫管理用のサーバコンピュータに接続されていて、その検出信号がコンピュータにて検出されるようになっている。そして、このコンピュータは、各仕切部材間に収納される収納物に関する情報を設置されているセンサに対応して記憶すると共に、収納物検出センサからの信号を検出し、当該仕切部材間に収納される収納物の有無を管理している。例えば、本実施形態における収納ラックをＣＤショップなどで利用することで、コンピュータには各仕切部材間毎、すなわち、各センサ毎に対応する収納物であるＣＤの商品名、及び、その有無が記録され、在庫管理を行うことができる。
【００５０】
【発明の効果】
本発明は、以上のように構成され機能するので、これによると、仕切部材の両端部を基台に形成された複数の挿入穴の任意の位置に嵌合することにより、任意の間隔にて仕切部材を立設することができ、これら立て掛けた収納物が倒れることを抑制すると共に、立て掛けるものの厚さに応じて任意に仕切部材の配置間隔を調整可能であるため、あらゆる種類の収納物に対応することができる、という従来にない優れた効果を有する。
【００５１】
また、仕切部材に突出部を形成することで、立て掛けるよう収納した本やＣＤなどの奥行き方向への過度の移動を係止することができるため、収納物に応じて仕切部材の位置を変更することで、奥行き方向の収納位置を任意に設定することができる。特に、収納物の手前側の位置を揃えることで、収納物の取り出しが宵となる。
【００５２】
さらには、仕切部材の手前側に形成した凹部に、ＣＤなどの表面を手前側に向けて立て掛けることができるため、仕切部材であるものがＣＤのジャケットなどを飾る部材としても機能するため、インテリアとしての役割をも果たすことができる。
【図面の簡単な説明】
【図１】本発明の第１の実施形態における基本構成を示す斜視図である。
【図２】本発明の組み立て方法を示す説明図である。
【図３】本発明の使用例を示す斜視図である。
【図４】図４は、図１に開示した仕切部材の形状を示す図である。図４（ａ）は、正面図を示し、図４（ｂ）は、その側面図を示す。
【図５】本発明の第２の実施形態における構成を示す斜視図である。
【符号の説明】
１，１１０  基台
２，１２０  仕切部材
３  柱部材
１１  穴あきプレート
１２  ベースプレート
２１  奥側足部
２３  手前側足部
１４０  背面部材
１１ａ  挿入穴
２１ｂ  突出部
２３ｂ  凹部
【図１】
2004248915.tif 000003
【図２】
2004248915.tif 000004
【図３】
2004248915.tif 000005
【図４】
2004248915.tif 000006
【図５】
2004248915.tif 000007